(57)【要約】【課題】フィールドシーケンシャル方式のもとで色割れとフリッカとを抑制する。【解決手段】画像処理回路２０は、複数の原色成分の階調を画素毎に指定する入力画像信号Ｓ1から、白色成分と複数の色成分とについて画素毎に階調を指定する分離画像信号Ｓ2を生成する。制御回路３０は、１フレームＦ内の複数のサブフィールドＳFの各々において、白色成分と複数の色成分の各々との単色画像を分離画像信号Ｓ2に基づいて表示体１０に表示させる。白色成分の単色画像が表示されるサブフィールドＳFは、複数の色成分の単色画像が表示される複数のサブフィールドの開始前または終了後に位置する。白色画像の表示が指定されたフレームにおいて、白色成分の単色画像の表示輝度は、各色成分の単色画像の表示輝度よりも低い。【選択図】図１
2009053475.tif 000002
【特許請求の範囲】
【請求項１】
複数の画素が配列する表示体と、
複数の原色成分の階調を画素毎に指定する入力画像信号から、白色成分と複数の色成分とについて画素毎に階調を指定する分離画像信号を生成する分離手段と、
前記各色成分の単色画像を表示する複数のサブフィールドの開始前または終了後のサブフィールドにて前記白色成分の単色画像が表示されるように、１フレーム内の複数のサブフィールドの各々にて前記分離画像信号に基づいて前記表示体に各単色画像を順次に表示させる制御手段とを具備し、
白色画像の表示が指定されたフレームにおいて、前記白色成分の単色画像の表示輝度は前記各色成分の単色画像の表示輝度よりも低い
表示装置。
【請求項２】
前記分離手段は、前記複数の色成分と第１白色成分および第２白色成分とについて階調を指定する前記分離画像信号を生成し、
前記制御手段は、前記各色成分の単色画像を表示する複数のサブフィールドの開始前のサブフィールドにて前記第１白色成分の単色画像を前記表示体に表示させ、前記各色成分の単色画像を表示する複数のサブフィールドの終了後のサブフィールドにて前記第２白色成分の単色画像を前記表示体に表示させ、
白色画像の表示が指定されたフレームにおいて、前記第１白色成分および前記第２白色成分の各々の単色画像の表示輝度は、前記各色成分の単色画像の表示輝度よりも低い
請求項１の表示装置。
【請求項３】
白色画像の表示が指定されたフレーム内において前記白色成分の単色画像の表示に使用される総光量は、当該フレーム内において前記白色成分と前記複数の色成分の各々との単色画像の表示に使用される総光量の３０％以上かつ４０％以下である
請求項１または請求項２の表示装置。
【請求項４】
前記分離手段は、前記複数の色成分のうち特定色について分離成分を抽出し、
前記制御手段は、前記各色成分の単色画像を表示する複数のサブフィールドの開始前または終了後のサブフィールドにて前記分離成分の単色画像を表示装置に表示させる
請求項１または請求項２の表示装置。
【請求項５】
白色画像の表示が指定されたフレーム内において前記分離成分の表示に使用される総光量は、当該フレーム内における単色画像の表示に使用される総光量の１５％以上かつ２０％以下である
請求項４の表示装置。
【請求項６】
前記制御手段は、１フレーム内の最初または最後のサブフィールドにて前記表示体に黒色画像を表示させる
請求項１から請求項５の何れかの表示装置。
【請求項７】
請求項１から請求項６の何れかの表示装置を具備する電子機器。
【請求項８】
複数の原色成分の階調を画素毎に指定する入力画像信号から、白色成分と複数の色成分とについて画素毎に階調を指定する分離画像信号を生成し、
前記各色成分の単色画像を表示する複数のサブフィールドの開始前または終了後のサブフィールドにて前記白色成分の単色画像が表示され、かつ、白色画像の表示が指定されたフレームにおける前記白色成分の単色画像の表示輝度が前記各色成分の単色画像の表示輝度よりも低くなるように、１フレーム内の複数のサブフィールドの各々にて前記分離画像信号に基づいて前記表示体に各単色画像を順次に表示させる
表示装置の駆動方法。
【発明の詳細な説明】
【技術分野】
【０００１】
本発明は、フィールドシーケンシャル方式でカラー画像を表示する技術に関する。
【背景技術】
【０００２】
画像の表示がフレーム内で維持されるホールド型の表示装置（例えば液晶装置）においては、動画像にて移動する要素の輪郭が尾を引くように不明瞭となる現象（「尾引き」とも呼ばれるが以下では「動画ボケ」と表記する）が発生する。一方、画像を間欠的に表示することで動画ボケは低減されるが、画像の点滅がフリッカとして知覚される問題がある。動画ボケおよびフリッカの双方を改善するために、例えば非特許文献１には、フレーム内の中央の期間にて高輝度の画像を表示することで動画ボケを低減し、かつ、当該期間の前後の期間でも発光を維持することでフリッカを抑制する技術が開示されている。
【非特許文献１】伊藤寛ほか４名、「ＡＭＬＣＤの動画画質改善手法の検討」、社団法人映像情報メディア学会技術報告、2004年3月22日、Vol.28  No.22  p.13-p.16
【発明の開示】
【発明が解決しようとする課題】
【０００３】
ところで、カラー画像を構成する複数色（例えば赤色，緑色および青色）の単色画像を順次に表示することで観察者にカラー画像を知覚させるフィールドシーケンシャル方式（面順次方式・色順次方式）の表示装置が従来から提案されている。フィールドシーケンシャル方式においては各色の単色画像がサブフィールド毎に表示されるから、動画像内の移動する要素の輪郭線の近傍にて各色成分が分離して知覚される現象（以下「色割れ」という）が発生する。また、複数の単色画像をサブフィールド毎に順次に表示する動作に起因してフリッカも問題となる。以上の事情に鑑みて、本発明は、フィールドシーケンシャル方式のもとで色割れおよびフリッカの双方を抑制するという課題の解決をひとつの目的としている。
【課題を解決するための手段】
【０００４】
以上の課題を解決するために、本発明に係る表示装置は、複数の画素が配列する表示体と、複数の原色成分の階調を画素毎に指定する入力画像信号から、白色成分と複数の色成分とについて画素毎に階調を指定する分離画像信号を生成する分離手段（例えば図１の画像処理回路２０）と、各色成分の単色画像を表示する複数のサブフィールドの開始前または終了後のサブフィールドにて白色成分の単色画像が表示されるように、１フレーム内の複数のサブフィールドの各々にて分離画像信号に基づいて表示体に各単色画像を順次に表示させる制御手段とを具備し、白色画像の表示が指定されたフレームにおいて、白色成分の単色画像の表示輝度は各色成分の単色画像の表示輝度よりも低い。表示体は、例えば、一対の基板の間隙にＯＣＢモードの液晶を封止した液晶装置を含む。本発明の表示装置は各種の電子機器に利用される。
【０００５】
以上の構成によれば、各色成分の単色画像を表示する複数のサブフィールドの開始前または終了後のサブフィールドにて白色成分の単色画像が表示されるから、観察者が知覚する色割れおよびフリッカを抑制することが可能である。
【０００６】
本発明の好適な態様において、分離手段は、複数の色成分と第１白色成分および第２白色成分とについて階調を指定する分離画像信号を生成し、制御手段は、各色成分の単色画像を表示する複数のサブフィールドの開始前のサブフィールドにて第１白色成分の単色画像を表示体に表示させ、各色成分の単色画像を表示する複数のサブフィールドの終了後のサブフィールドにて第２白色成分の単色画像を表示体に表示させ、白色画像の表示が指定されたフレームにおいて、第１白色成分および第２白色成分の各々の単色画像の表示輝度は、各色成分の単色画像の表示輝度よりも低い。以上の態様によれば、各色成分の単色画像が表示される複数のサブフィールドの開始前および終了後に白色成分の単色画像が表示されるから、各色成分の単色画像の表示前および表示後の何れか一方のみにおいて白色成分の単色画像を表示する構成と比較して色割れを有効に軽減することが可能である。
【０００７】
本発明の好適な態様において、白色画像の表示が指定されたフレーム内において白色成分の単色画像の表示に使用される総光量は、当該フレーム内において白色成分と複数の色成分の各々との単色画像の表示に使用される総光量の３０％以上かつ４０％以下である。以上の態様によれば、色割れおよびフリッカの双方が有効に抑制される。
【０００８】
本発明の好適な態様において、分離手段は、複数の色成分のうち特定色について分離成分（例えば図６のＧa成分）を抽出し、制御手段は、各色成分の単色画像を表示する複数のサブフィールドの開始前または終了後のサブフィールドにて分離成分の単色画像を表示装置に表示させる。以上の態様によれば、特定色の単色画像が複数のサブフィールドにて分散的に表示されるから、例えば全域が特定色に設定された画像を表示する場合のフリッカを有効に抑制することが可能である。人間の視覚は緑色成分に対して特に敏感であるから、特定色を緑色とした構成が格別に好適である。
【０００９】
さらに好適な態様において、白色画像の表示が指定されたフレーム内において分離成分の表示に使用される総光量は、当該フレーム内における単色画像の表示に使用される総光量の１５％以上かつ２０％以下である。以上の態様によれば、色割れおよびフリッカの双方が有効に抑制される。
【００１０】
本発明の好適な態様において、制御手段は、１フレーム内の最初または最後のサブフィールドにて表示体に黒色画像を表示させる。以上の態様によれば、色割れおよび動画ボケを抑制することが可能となる。なお、「黒色画像を表示する」とは、カラー画像の表示を停止することを意味する。例えば、表示手段が照明装置と液晶装置とで構成される場合には、照明装置を消灯する動作と液晶装置の各画素の透過率を最低値に制御する動作との少なくとも一方を実行した状態が黒色画像を表示した状態に相当する。さらに好適な態様における表示手段は、１フレーム内の最後の期間で黒色画像を表示する。
【００１１】
本発明は、表示装置を駆動する方法としても特定される。本発明のひとつの態様に係る駆動方法は、複数の原色成分の階調を画素毎に指定する入力画像信号から、白色成分と複数の色成分とについて画素毎に階調を指定する分離画像信号を生成し、各色成分の単色画像を表示する複数のサブフィールドの開始前または終了後のサブフィールドにて白色成分の単色画像が表示され、かつ、白色画像の表示が指定されたフレームにおける白色成分の単色画像の表示輝度が各色成分の単色画像の表示輝度よりも低くなるように、１フレーム内の複数のサブフィールドの各々にて分離画像信号に基づいて表示体に各単色画像を順次に表示させる。以上の方法によっても本発明の表示装置と同様の作用および効果が奏される。
【発明を実施するための最良の形態】
【００１２】
＜Ａ：第１実施形態＞
図１は、本発明の第１実施形態に係る表示装置１００の構成を示すブロック図である。図１に示すように、表示装置１００は、表示体１０と画像処理回路２０と制御回路３０とを具備する。画像処理回路２０と制御回路３０とは、単一の集積回路内に設置されても別個の集積回路に分散して設置されてもよい。
【００１３】
表示体１０は、制御回路３０による制御のもとに複数色の単色画像を順次に表示することでカラー画像を観察者に知覚させる（フィールドシーケンシャル方式）。本形態の表示体１０は、照明装置１２と液晶装置１４とで構成される。照明装置１２は、液晶装置１４の背面側に設置されて複数種の色光を液晶装置１４に対して選択的に放射する。本形態の照明装置１２は、複数色の発光素子（例えば赤色・緑色・青色のＬＥＤ素子）を選択的に発光させることで赤色光と緑色光と青色光と白色光とを個別に放射することが可能である。
【００１４】
液晶装置１４は、相互に対向する一対の基板の間隙に液晶を封止した表示パネルである。液晶装置１４の液晶としては、ＯＣＢ（Optically Compensated Bend）モードなど高速に応答する液晶が好適に採用される。液晶装置１４は、各画素に対応して行列状に配列する複数の画素電極１４２を含む。液晶の配向を画素電極１４２の電位に応じて変化させることで各画素の階調（透過率）が画素電極１４２毎に制御される。
【００１５】
図２は、表示体１０の動作を説明するための概念図である。図２のフレームＦは、ひとつのカラー画像の表示に利用される期間である。フレームＦは複数（本形態では５個）のサブフィールドＳF（ＳF1〜ＳF5）に区分される。表示体１０は、各々が別個の単色に対応した複数の単色画像をサブフィールドＳF毎に順次に表示する。サブフィールドＳF毎の単色画像を順次に視認することで、観察者は、各色が混合したカラー画像を知覚する。したがって、液晶装置１４にカラーフィルタは不要である。
【００１６】
図１の画像処理回路２０は、入力画像信号Ｓ1から分離画像信号Ｓ2を生成する。入力画像信号Ｓ1は、複数の原色成分（赤色，緑色，青色）の各々の階調を画素毎に指定する信号である。すなわち、入力画像信号Ｓ1は、図１に示すように、赤色成分（以下「Ｒ成分」という）の階調Ｇ1_Rと緑色成分（以下「Ｇ成分」という）の階調Ｇ1_Gと青色成分（以下「Ｂ成分」という）の階調Ｇ1_Bとを画素毎に指定する。
【００１７】
分離画像信号Ｓ2は、入力画像信号Ｓ1が指定する表示色を複数の色成分（赤色・緑色・青色）と複数の白色成分とに分離したときの各成分の階調を画素毎に指定する信号である。本形態の分離画像信号Ｓ2は、図１に示すように、Ｒ成分の階調Ｇ2_RとＧ成分の階調Ｇ2_GとＢ成分の階調Ｇ2_Bとに加えて、第１白色成分（以下「Ｗ1成分」という）の階調Ｇ2_W1と第２白色成分（以下「Ｗ2成分」という）の階調Ｇ2_W2とを画素毎に指定する。
【００１８】
図３は、画像処理回路２０の動作を説明するための概念図である。図３の部分(A)は、白色の表示（階調の最高値）が指定された場合に、入力画像信号Ｓ1の各原色成分の階調（Ｇ1_R，Ｇ1_G，Ｇ1_B）が最高値に設定された様子を表す模式図である。図３の部分(B)は、部分(A)の入力画像信号Ｓ1から生成される分離画像信号Ｓ2にて指定される階調（Ｇ2_R，Ｇ2_G，Ｇ2_B，Ｇ2_W1，Ｇ2_W2）である。
【００１９】
図３の部分(B)に示すように、入力画像信号Ｓ1にて指定される３種類の原色成分の階調（Ｇ1_R，Ｇ1_G，Ｇ1_B）が何れも所定値ＴＨを上回る場合、分離画像信号Ｓ2においては、階調Ｇ1_Rと所定値ＴＨとの差分値がＲ成分の階調Ｇ2_Rに設定され、階調Ｇ1_Gと所定値ＴＨとの差分値がＧ成分の階調Ｇ2_Gに設定され、階調Ｇ1_Bと所定値ＴＨとの差分値がＢ成分の階調Ｇ2_Bに設定される。さらに、分離画像信号Ｓ2のＷ1成分の階調Ｇ2_W1およびＷ2成分の階調Ｇ2_W2は所定値ＴＨの半分の数値に設定される。なお、入力画像信号Ｓ1において何れかの原色成分の階調が所定値ＴＨの半分を下回る場合には階調Ｇ2_W1および階調Ｇ2_W2の双方がゼロに設定される。また、入力画像信号Ｓ1において総ての原色成分の階調が所定値ＴＨの半分を上回るが何れかの原色成分の階調が所定値ＴＨを下回る場合には、階調Ｇ2_W1が所定値ＴＨの半分に設定されるとともに階調値Ｇ2_W2はゼロに設定される。
【００２０】
図２に示すように、各サブフィールドＳFは書込期間ＰWと表示期間ＰDとを含む。書込期間ＰWは、液晶装置１４の各画素の階調を分離画像信号Ｓ2に応じて設定する（すなわち液晶装置１４に画像を形成する）ための期間である。表示期間ＰDは、書込期間ＰWにて液晶装置１４に形成された画像（単色画像）を利用者に知覚されるように実際に表示する期間である。表示期間ＰDは、例えばサブフィールドＳFの半分の時間長に設定される（デューティ比＝５０％）。
【００２１】
図１の制御回路３０は、サブフィールドＳF2の表示期間ＰDにてＢ成分の単色画像を表示体１０に表示させ、サブフィールドＳF3の表示期間ＰDにてＧ成分の単色画像を表示体１０に表示させ、サブフィールドＳF4の表示期間ＰDにてＲ成分の単色画像を表示体１０に表示させる。さらに、制御回路３０は、サブフィールドＳF1の表示期間ＰDにてＷ1成分の単色画像を表示体１０に表示させ、サブフィールドＳF5の表示期間ＰDにてＷ2成分の単色画像を表示体１０に表示させる。すなわち、ひとつのフレームＦに着目すると、Ｗ1成分→Ｂ成分→Ｇ成分→Ｒ成分→Ｗ2成分の順番で各単色画像が表示体１０に順次に表示される。制御回路３０について以下に詳述する。なお、サブフィールドＳF2〜ＳF4にて単色画像を表示する各色成分の順番は適宜に変更される。
【００２２】
図１に示すように、制御回路３０は、液晶装置１４を駆動する液晶駆動回路３２と照明装置１２を駆動する照明駆動回路３４とを具備する。なお、制御回路３０の実装の態様は任意である。例えば、液晶駆動回路３２を液晶装置１４に実装するとともに照明駆動回路３４を照明装置１２に実装した構成や、液晶駆動回路３２と照明駆動回路３４とを単一の集積回路に搭載した構成が採用される。
【００２３】
液晶駆動回路３２は、各サブフィールドＳFの書込期間ＰWにおいて、液晶装置１４の各画素電極１４２の電位を分離画像信号Ｓ2に応じて設定（書込）することで液晶装置１４に単色画像を形成する。例えば、液晶駆動回路３２は、図２に示すように、サブフィールドＳF1の書込期間ＰWでは階調Ｇ2_W1に応じた電位を各画素電極１４２に供給し（Ｇ2_W1書込）、サブフィールドＳF2の書込期間ＰWでは階調Ｇ2_Bに応じた電位を各画素電極１４２に供給し（Ｇ2_B書込）、サブフィールドＳF5の書込期間ＰWでは階調Ｇ2_W2に応じた電位を各画素電極１４２に供給するといった具合である。
【００２４】
照明駆動回路３４は、表示期間ＰD毎に複数種の何れかの色光（白色光を含む）が液晶装置１４に照射されるように照明装置１２を制御する。すなわち、照明駆動回路３４は、サブフィールドＳF1およびＳF5の各々の表示期間ＰDでは照明装置１２に白色光を出射させ、サブフィールドＳF2の表示期間ＰDでは青色光を出射させ、サブフィールドＳF3の表示期間ＰDでは緑色光を出射させ、サブフィールドＳF4の表示期間ＰDでは赤色光を出射させる。各表示期間ＰD以外の期間において照明装置１２は消灯する。
【００２５】
図２に示すように、サブフィールドＳF1およびＳF5の各々において照明装置１２から出射する白色光の強度（輝度）は、サブフィールドＳF2〜ＳF4の各々において照明装置１２から出射する色光（赤色光・青色光・緑色光）の強度よりも低い。したがって、図３のように白色画像の表示が指定されたフレームＦ（すなわち液晶の透過率が100％に設定されるフレームＦ）において、Ｗ1成分やＷ2成分の単色画像の表示輝度は、各色成分（Ｒ成分・Ｂ成分・Ｇ成分）の単色画像の表示輝度よりも低い。
【００２６】
いま、白色画像の表示が指定されたフレームＦ内で表示に使用される光量の合計（以下「総光量」という）をＡ0とする。総光量Ａ0は、表示期間ＰDにおける照明装置１２の出射光の強度の時間積分値（表示期間ＰDにおける発光量）をフレームＦ内の総てのサブフィールドＳF1〜ＳF5について加算した数値である。また、白色画像の表示が指定されたフレームＦ内にてＷ1成分およびＷ2成分の単色画像の表示に使用される発光量の合計（以下「白色光量」という）をＡWとする。白色光量ＡWは、サブフィールドＳF1における照明装置１２の発光量（出射光の強度の時間積分値）とサブフィールドＳF5における照明装置１２の発光量との合計値である。本形態においては、総光量Ａ0に対する白色光量ＡWの割合ｐ（以下「光量比」という。ｐ＝ＡW／Ａ0×100［%］）が以下の条件を満たすように、各表示期間ＰDにおける照明装置１２の輝度や各表示期間ＰDの時間長が設定される。
【００２７】
まず、フリッカの抑制という観点から光量比ｐの条件を検討する。図４は、光量比ｐと観察者が知覚するフリッカの程度（以下「フリッカ量」という）ＡFとの関係を示すグラフである。なお、フレームＦ内における表示体１０からの出射光の強度の時間的な変動（波形）に対してＦＦＴ（Fast Fourier Transform）処理を含む周波数分析を実行することで、直流成分の強度Ｔ0と第１次高調波（基本周波数）成分の強度Ｔ1とが特定される。フリッカ量ＡFは、直流成分の強度Ｔ0に対する第１次高調波成分の強度Ｔ1の相対比（Ｆ＝Ｔ1/Ｔ0）として定義される。
【００２８】
サブフィールドＳF1およびＳF5にて表示体１０から出射する光量が多いほどフレームＦの全体で観察側に出射する光量の変動は低減されるから、図４に示すように、光量比ｐが高いほどフリッカ量ＡFは減少する。フリッカ量ＡFを許容値ＡF0以下まで抑制するためには光量比ｐを３０％以上に設定する必要がある。したがって、光量比ｐが３０％以上となるように各表示期間ＰDにおける照明装置１２の輝度や各表示期間ＰDの時間長が設定される。さらに詳述すると、Ｗ1成分およびＷ2成分の各々の単色画像の表示に使用される光量（サブフィールドＳF1における光量やサブフィールドＳF5における光量）はフレームＦ内の総光量Ａ0の１５％以上に設定される。
【００２９】
次に、色割れの抑制という観点から光量比ｐの条件を検討する。図５は、表示体１０の表示する要素ＥがＸ方向（横軸）に移動した場合に観察者が知覚する画像を説明するための概念図である。図５の部分(A)には、黒色を背景として表示された白色の要素ＥがフレームＦ毎にＸ方向に変化量ｄＸずつ移動する様子が図示されている。観察者の視線が図５の矢印ＡRの方向に移動すると、矢印ＡRの方向の輝度の変化が観察者の網膜上で積算（平均化）される。したがって、観察者が実際に知覚する輝度は、例えば図５の部分(B1)のようにＸ方向に沿って変化する。すなわち、観察者は、要素Ｅにおける移動の方向とは逆側の輪郭の近傍に輝度の連続的な低下（動画ボケ）を知覚する。動体を視認した場合に１５％程度の輝度の変化は識別し難いという視覚の特性を考慮すると、観察者の知覚する輝度が最高輝度（100％）の１５％となる地点から最高輝度の８５％となる地点までの領域Δが動画ボケとして知覚される。そして、フィールドシーケンシャル方式においては各サブフィールドＳFにて別色の単色画像が表示されるから、観察者は領域Δの内部に色割れを知覚する。領域Δが増大するほど観察者の知覚する色割れは顕著となる。
【００３０】
図５に示すように、輝度が０％から100％まで変化するＸ方向の範囲は領域Ｌ1〜Ｌ3に区分される。図２を参照して前述したようにフレームＦの両端部のサブフィールドＳF1およびＳF5における表示輝度はサブフィールドＳF2〜ＳF4における表示輝度よりも低いから、領域Ｌ1およびＬ3は領域Ｌ2よりも輝度の変化が緩やかである。
【００３１】
図５の部分(B1)〜(B3)は、光量比ｐを変化させた各ケースにおける輝度の変化を表す。図５の部分(B1)は光量比ｐを１０％に設定した場合である。また、図５の部分(B2)は光量比ｐを４０％に設定した場合であり、図５の部分(B3)は光量比ｐを６０％に設定した場合である。図５の部分(B1)〜(B3)から理解されるように、光量比ｐが増加するほど領域Ｌ1およびＬ3における輝度の変化量が増加する（輝度の変化が急峻となる）。
【００３２】
図５の部分(B1)においては、領域Ｌ1と領域Ｌ2との境界Ｂaにおける輝度は８５％を上回り、領域Ｌ2と領域Ｌ3との境界Ｂbにおける輝度は１５％を下回る。すなわち、観察者が色割れ（動画ボケ）を知覚する領域Δ内には輝度が急峻に変化する領域Ｌ2のみが存在する。したがって、光量比ｐを１０％に設定した場合には色割れが充分に抑制される。
【００３３】
一方、図５の部分(B3)においては、境界Ｂaにおける輝度が８５％を下回るとともに境界Ｂbにおける輝度が１５％を上回る。すなわち、観察者が色割れを知覚する領域Δ内に、輝度の変化が領域Ｌ2と比較して緩やかな領域Ｌ1およびＬ3が含まれる。したがって、光量比ｐを６０％に設定した場合にはＸ方向の広い領域Δにわたって色割れが知覚される。
【００３４】
以上のように領域Δが領域Ｌ1や領域Ｌ2を含む場合に色割れは顕在化する。そこで、領域Ｌ1と領域Ｌ2との境界Ｂaにおける輝度が最高輝度の８５％を上回り、領域Ｌ2と領域Ｌ3との境界Ｂbにおける輝度が最高輝度の１５％を下回るように、光量比ｐは選定される。図５の部分(B2)のように、光量比ｐを４０％に設定した場合には、境界Ｂaにおける輝度が最高輝度の８５％となり、境界Ｂbにおける輝度が最高輝度の１５％となる。したがって、光量比ｐは４０％以下に設定される。さらに詳述すると、Ｗ1成分およびＷ2成分の各々の単色画像の表示に使用される光量（サブフィールドＳF1内の発光量やサブフィールドＳF5内の発光量）はフレームＦ内の総光量Ａ0の２０％以下に設定される。
【００３５】
以上に説明したように、本形態においては、各色成分の単色画像が表示されるサブフィールドＳF2〜ＳF4の開始前および終了後のサブフィールドＳF1およびＳF5において白色成分（Ｗ1成分，Ｗ2成分）の単色画像が表示されるから、観察者が知覚する色割れを抑制することが可能である。また、サブフィールドＳF2〜ＳF4に加えてサブフィールドＳF1およびＳF5でも単色画像を表示することで表示輝度の増減の周期が短縮されるから、フリッカを抑制することも可能である。さらに、光量比ｐは、フリッカ量ＡFが許容値ＡF0を下回る３０％から色割れ（動画ボケ）が有効に抑制される４０％までの範囲内に設定されるから、フリッカおよび色割れの双方を低減できるという利点がある。
【００３６】
＜Ｂ：第２実施形態＞
次に、本発明の第２実施形態について説明する。なお、本形態のうち作用や機能が第１実施形態と同等である要素については、以上と同じ符号を付して各々の詳細な説明を適宜に省略する。
【００３７】
図６は、画像処理回路２０の動作を説明するための概念図である。図６の部分(A)においては、図３と同様に、入力画像信号Ｓ1が白色の表示（階調の最高値）を指示する場合が例示されている。画像処理回路２０は、第１実施形態と同様に入力画像信号Ｓ1から分離画像信号Ｓ2を生成する。分離画像信号Ｓ2は、白色成分（以下「Ｗ成分」という）の階調Ｇ2_Wと、Ｒ成分の階調Ｇ2_Rと、Ｂ成分の階調Ｇ2_Bと、第１緑色成分（以下「Ｇa成分」という）の階調Ｇ2_Gaと、第２緑色成分（以下「Ｇb成分」という）の階調Ｇ2_Gbとを指定する。
【００３８】
図６の部分(A)のように３種類の原色成分の階調（Ｇ1_R，Ｇ1_G，Ｇ1_B）が何れも所定値ＴＨを上回る場合、画像処理回路２０は、図６の部分(B)に示すように、分離画像信号Ｓ2のＷ成分の階調Ｇ2_Wを所定値ＴＨに設定する。また、画像処理回路２０は、第１実施形態と同様に、Ｒ成分の階調Ｇ1_Rと所定値ＴＨとの差分値を階調Ｇ2_Rに設定し、Ｇ成分の階調Ｇ1_Gと所定値ＴＨとの差分値を階調Ｇ2_Gに設定し、Ｂ成分の階調Ｇ1_Bと所定値ＴＨとの差分値を階調Ｇ2_Bに設定する。さらに、画像処理回路２０は、Ｇ成分の階調Ｇ2_Gを分割して階調Ｇ2_Gaと階調Ｇ2_Gbとを決定する。例えば、図６の部分(B)に示すように、Ｇa成分の階調Ｇ2_Gaは所定値ＴＨGに設定され、Ｇb成分の階調Ｇ2_Gbは階調Ｇ2_Gと所定値ＴＨGとの差分値に設定される。
【００３９】
図７は、表示体１０の動作を説明するための概念図である。同図に示すように、制御回路３０は、ひとつのフレームＦにおいてＧa成分→Ｂ成分→Ｇb成分→Ｒ成分→Ｗ成分の順番で各単色画像が表示されるように表示体１０を制御する。さらに詳述すると、液晶駆動回路３２は、サブフィールドＳF1の書込期間ＰWでは分離画像信号Ｓ2の階調Ｇ2_Gaに応じた電位を液晶装置１４の各画素電極１４２に供給し（Ｇ2_Ga書込）、サブフィールドＳF2の書込期間ＰWでは階調Ｇ2_Bに応じた電位を各画素電極１４２に供給し（Ｇ2_B書込）、サブフィールドＳF3の書込期間ＰWでは階調Ｇ2_Gbに応じた電位を各画素電極１４２に供給する（Ｇ2_Gb書込）といった具合である。
【００４０】
また、照明駆動回路３４は、サブフィールドＳF1およびＳF3の各々の表示期間ＰDにて照明装置１２に緑色光を出射させ、サブフィールドＳF2の表示期間ＰDにて青色光を出射させ、サブフィールドＳF4の表示期間ＰDにて赤色光を出射させ、サブフィールドＳF5の表示期間ＰDにて白色光を出射させる。第１実施形態におけるＷ1成分およびＷ2成分と同様に、サブフィールドＳF1の表示期間ＰDにて照明装置１２から出射する緑色光の光量は、フレーム内における総光量Ａ0の１５％以上かつ２０％以下とされる。サブフィールドＳF5における白色光の光量も同様に総光量Ａ0の１５％以上かつ２０％以下である。また、サブフィールドＳF3においては、第１実施形態におけるサブフィールドＳF3での光量からサブフィールドＳF1における光量を減算した光量の緑色光が照明装置１２から出射する。
【００４１】
本形態においてもサブフィールドＳF5においてＷ成分の単色画像が表示されるから、第１実施形態と同様に色割れを低減することが可能である。また、サブフィールドＳF1およびＳF5にて照明装置１２が出射する光量の総和はフレームＦ内の総光量Ａ0の３０％以上かつ４０％以下に設定されるから、第１実施形態と同様にフリッカおよび色割れの双方を低減することが可能である。
【００４２】
ところで、第１実施形態のもとで例えば全域が緑色の画像を表示する場合、フレームＦ内のサブフィールドＳF3のみにおいて照明装置１２からの出射光が観察側に出射する。したがって、観察者の知覚する光強度の明滅の周波数が低下してフリッカが顕在化する場合がある。本形態においてはＧ成分の単色画像がサブフィールドＳF1およびＳF3に分散して表示されるから、緑色の画像を表示する場合であっても、光強度の明滅の周波数は第１実施形態の約２倍に維持される。したがって、第１実施形態と比較してフリッカが低減されるという利点がある。
【００４３】
＜Ｃ：変形例＞
以上の各形態には様々な変形が加えられる。具体的な変形の態様を以下に例示する。なお、以下の例示から任意に選択された２以上の態様を適宜に組合わせてもよい。
【００４４】
（１）変形例１  
画像の表示を停止するサブフィールドＳF（換言すると黒色画像を表示するサブフィールドＳF）を各フレームＦに含ませてもよい。例えば図８に示すように、フレームＦの最後に黒（Ｋ）表示のサブフィールドＳF6が設定される。サブフィールドＳF6においては、黒色の階調に対応する電位が書込期間ＰWにて各画素電極１４２に供給され（Ｋ書込）、表示期間ＰDでは照明装置１２が消灯する。以上の形態によれば、第１実施形態や第２実施形態と比較して色割れや動画ボケが低減されるという利点がある。フレームＦの最初のサブフィールドＳFにて黒表示を実行する構成も好適である。
【００４５】
なお、サブフィールドＳF6においては、黒色の階調に対応する電位を書込期間ＰWにて各画素電極１４２に供給する動作と、表示期間ＰDにて照明装置１２を消灯させる動作との一方のみを実行してもよい。また、図８においては第１実施形態を基礎として本変形例を説明したが、黒表示のサブフィールドＳF6を設定する構成は第２実施形態にも同様に適用される。
【００４６】
（２）変形例２  
第２実施形態においては、サブフィールドＳF1における緑色光の光量を総光量Ａ0の１５％以上かつ２０％以下に設定した。しかし、全域が緑色（単色）である画像が入力画像信号Ｓ1によって指示された場合に、サブフィールドＳF1の表示期間ＰDとサブフィールドＳF3の表示期間ＰDとで照明装置１２を同等の光量に設定する構成も好適に採用される。以上の構成によればフレーム内における光量の変化量が低減されるから、観察者の知覚するフリッカを有効に抑制することができる。
【００４７】
（３）変形例３  
第２実施形態においてはＧ成分をＧa成分とＧb成分とに分割して別個のサブフィールドＳFにて表示したが、他の色成分（例えばＲ成分やＢ成分）について同様の構成を採用してもよい。なお、人間の視覚はＧ成分に対して最も感度が高いから、緑色の画像を表示した場合のフリッカは赤色や青色の画像を表示した場合と比較して顕著となる。したがって、フリッカの抑制という観点からすると、第２実施形態のようにＧ成分を分散的に表示する構成が格別に有効である。
【００４８】
（４）変形例４  
第１実施形態においては複数の白色成分（Ｗ1成分，Ｗ2成分）の単色画像を表示したが、フレームＦのうち各色成分の単色画像を表示するサブフィールドＳF2〜ＳF4の開始前または終了後のひとつのサブフィールドＳFのみにおいて白色成分の単色画像を表示する構成も採用される。また、第２実施形態においては、Ｇa成分の単色画像を表示するサブフィールドＳFをサブフィールドＳF2〜ＳF4の終了後に設定した構成や、Ｗ成分の単色画像を表示するサブフィールドＳFをサブフィールドＳF2〜ＳF4の開始前に設定した構成も採用される。さらに、第１実施形態と第２実施形態とを組合わせた構成も好適である。すなわち、白色成分の単色画像を表示するサブフィールドＳFがサブフィールドＳF2〜ＳF4の開始前および終了後に設定され、かつ、Ｇa成分の単色画像を表示するサブフィールドがサブフィールドＳF2〜ＳF4の開始前または終了後に設定される。
【００４９】
（５）変形例５  
以上の各形態においては、照明装置１２の光量を調整することで各単色画像の表示輝度を制御したが、単色画像の表示輝度を調整する方法は適宜に変更される。例えば、フレームＦ内の総てのサブフィールドＳF（ＳF1〜ＳF5）において照明装置１２から同等の光量を出射する一方、液晶装置１４の各画素電極１４２に供給される電位をサブフィールドＳF1やＳF5にて低下させる（すなわち液晶装置１４に形成されるＷ1成分やＷ2成分の単色画像を低階調に制御する）ことで、サブフィールドＳF1やＳF5における表示輝度をサブフィールドＳF2〜ＳF4と比較して低く設定する構成も採用される。第２実施形態のサブフィールドＳF1についても同様である。
【００５０】
（６）変形例６  
入力画像信号Ｓ1や分離画像信号Ｓ2が階調を指定する色成分は、Ｒ成分，Ｇ成分およびＢ成分の組合わせに限定されない。例えば、入力画像信号Ｓ1や分離画像信号Ｓ2がシアン成分やマゼンタ成分やイエロー成分といった色成分（原色成分）の階調を指定する構成も採用される。また、照明装置１２からの出射光の波長（色相）は単色画像の色相に応じて適宜に変更される。
【００５１】
（７）変形例７  
表示体１０の構成は任意である。例えば、有機ＥＬ素子やＬＥＤ（Light Emitting Diode）素子を画素として画像を表示する装置やプラズマディスプレイ装置など各種の表示機器が表示体１０として採用される。
【００５２】
＜Ｄ：応用例＞
次に、本発明に係る表示装置を利用した電子機器について説明する。図９ないし図１１には、以上に説明した何れかの形態に係る表示装置１００を採用した電子機器の形態が図示されている。
【００５３】
図９は、表示装置１００を採用したモバイル型のパーソナルコンピュータの構成を示す斜視図である。パーソナルコンピュータ２０００は、各種の画像を表示する表示装置１００と、電源スイッチ２００１やキーボード２００２が設置された本体部２０１０とを具備する。
【００５４】
図１０は、表示装置１００を適用した携帯電話機の構成を示す斜視図である。携帯電話機３０００は、複数の操作ボタン３００１およびスクロールボタン３００２と、各種の画像を表示する表示装置１００とを備える。スクロールボタン３００２を操作することによって、表示装置１００に表示される画面がスクロールされる。
【００５５】
図１１は、表示装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する表示装置１００とを備える。電源スイッチ４００２を操作すると、住所録やスケジュール帳といった様々な情報が表示装置１００に表示される。
【００５６】
なお、本発明に係る表示装置が適用される電子機器としては、図９から図１１に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００５７】
【図１】本発明の第１実施形態に係る表示装置の構成を示すブロック図である。
【図２】表示装置の動作を表すタイミングチャートである。
【図３】分離画像信号を生成する動作を説明するための概念図である。
【図４】光量比とフリッカ量との関係を示すグラフである。
【図５】色割れを抑制する光量比の条件について説明するための概念図である。
【図６】本発明の第２実施形態において分離画像信号を生成する動作を説明するための概念図である。
【図７】表示装置の動作を表すタイミングチャートである。
【図８】変形例に係る表示装置の動作を表すタイミングチャートである。
【図９】本発明に係る電子機器の具体例を示す斜視図である。
【図１０】本発明に係る電子機器の具体例を示す斜視図である。
【図１１】本発明に係る電子機器の具体例を示す斜視図である。
【符号の説明】
【００５８】
１００……表示装置、１０……表示体、１２……照明装置、１４……液晶装置、２０……画像処理回路、３０……制御回路、３２……液晶駆動回路、３４……照明駆動回路、Ｆ……フレーム、ＳF（ＳF1，ＳF2，……）……サブフィールド、ＰW……書込期間、ＰD……表示期間。
【図１】
2009053475.tif 000003
【図２】
2009053475.tif 000004
【図３】
2009053475.tif 000005
【図４】
2009053475.tif 000006
【図５】
2009053475.tif 000007
【図６】
2009053475.tif 000008
【図７】
2009053475.tif 000009
【図８】
2009053475.tif 000010
【図９】
2009053475.tif 000011
【図１０】
2009053475.tif 000012
【図１１】
2009053475.tif 000013